(57)【特許請求の範囲】
【請求項１】
建物用第１パネル（１）及び建物用第２パネル（１’）を、これらのパネル（１、１’）の互いに対する垂直方向変位によって、垂直方向で係止するための係止システムを持つ建物用パネルであって、
前記建物用第１パネル（１）の縁部には、側方に開放したタング溝（２０）が設けられ、ストリップ（６）が前記タング溝（２０）の下で前記建物用第１パネル（１）の縁部の上部分を越えて外方に突出しており、
前記建物用第２パネルの縁部の側方に開放した変位溝（４０）には、変位可能なタング（３０）が設けられ、前記変位可能なタング（３０）は、前記第２パネルの前記縁部に沿って延びる主本体と、前記タングの上部外方部分に配置されたタング係止面（３１）とを含み、前記タング係止面は、前記タング溝（２０）の溝係止面（２１）と垂直方向で係止するように協働するように形成されている、建物用パネルにおいて、
前記変位可能なタングは、前記第２パネル（１’）の前記縁部の上部分から内方に間隔が隔てられた内部分（３４）を含み、
前記内部分は、前記ストリップ（６）のストリッププレス面（３３）と協働するように形成されたタングプレス面（３２）を含み、前記タングプレス面及び前記ストリッププレス面（３２、３３）を互いに対して垂直方向に変位したとき、前記変位可能なタング（３０）が前記タング溝内で変位し、前記第１及び第２の建物用パネル（１、１’）を垂直方向で係止する、建物用パネル。
【請求項２】
請求項１に記載の建物用パネルにおいて、
前記変位可能なタング（３０）は非対称であり、突出部（３４）を含み、前記第２パネル（１’）は、前記突出部を収容するためのキャビティ（３５）を含む、建物用パネル。
【請求項３】
請求項２に記載の建物用パネルにおいて、
前記突出部（３４）は、可撓性部分（３９）を含む、建物用パネル。
【請求項４】
請求項２又は３に記載の建物用パネルにおいて、
前記キャビティ（３５）は、少なくとも約１ｍｍ乃至３ｍｍの空間Ｓがあるように、前記突出部（３４）よりも大きい、建物用パネル。
【請求項５】
請求項２乃至４のうちのいずれか一項に記載の建物用パネルにおいて、
前記ストリップ（６）は、前記第１及び第２の建物用パネル（１、１’）を水平方向で係止するため、前記第２パネルに形成された下方に開放した係止溝（１４）と協働するように形成された係止エレメント（８）を含む、建物用パネル。
【請求項６】
請求項５に記載の建物用パネルにおいて、
前記タングプレス面（３２）は前記突出部（３４）に設けられ、前記ストリッププレス面（３３）は前記係止エレメント（８）に設けられている、建物用パネル。
【請求項７】
請求項６に記載の建物用パネルにおいて、
前記ストリッププレス面（３３）は、前記係止溝（１４）と協働する前記係止エレメント（８）の傾斜した表面に設けられている、建物用パネル。
【請求項８】
請求項５に記載の建物用パネルにおいて、
前記ストリッププレス面（３３）は、前記係止エレメント（８）の上部分に設けられている、建物用パネル。
【請求項９】
請求項５乃至８のうちのいずれか一項に記載の建物用パネルにおいて、
前記キャビティ（３５）は、前記変位溝（４０）から前記係止溝（１４）まで延びる、建物用パネル。
【請求項１０】
請求項５乃至９のうちのいずれか一項に記載の建物用パネルにおいて、
前記変位溝（４０）は、前記係止溝（１４）の上方に延びている、建物用パネル。
【請求項１１】
請求項５乃至１０のうちのいずれか一項に記載の建物用パネルにおいて、
前記係止エレメント（８）の上部分（８ａ）は、前記変位可能なタング（３０）の前記タング係止面（３１）の下方に配置されている、建物用パネル。
【請求項１２】
請求項５乃至１１のうちのいずれか一項に記載の建物用パネルにおいて、
前記係止溝（１４）の上部分（１４ａ）は、前記変位可能なタング（３０）の前記タング係止面（３１）の垂直方向下方に配置されている、建物用パネル。
【請求項１３】
請求項５乃至１２のうちのいずれか一項に記載の建物用パネルにおいて、
前記係止エレメントの最上部分は、前記建物用第１パネルの厚み方向の中間部に配置されている、建物用パネル。
【請求項１４】
請求項１乃至１３のうちのいずれか一項に記載の建物用パネルにおいて、
前記タングプレス面及び前記ストリッププレス面（３２、３３）は、水平平面（ＨＰ）に対し、約２５°乃至７５°の角度（Ａ１）で傾斜している、建物用パネル。
【請求項１５】
請求項１乃至１４のうちのいずれか一項に記載の建物用パネルにおいて、
前記変位溝（４０）は傾斜しており、下方に延びる内部分を含む、建物用パネル。
【請求項１６】
請求項１乃至１５のうちのいずれか一項に記載の建物用パネルにおいて、
前記第１及び第２の建物用パネル（１、１’）は、第１対の協働する係止面及び第２対の協働する係止面によって垂直方向で係止され、前記第１対の協働する係止面は、前記タング係止面（３１）及び前記溝係止面（２１）を含み、前記第２対の協働する係止面は、前記ストリップの上部分（６’）及び前記第２パネル（１’）の縁部の下部分（３７）を含む、建物用パネル。
【請求項１７】
請求項１乃至１６のうちのいずれか一項に記載の建物用パネルにおいて、
前記溝係止面（２１）及び前記タング係止面（３１）は、水平平面に対して傾斜している、建物用パネル。
【請求項１８】
請求項１乃至１７のうちのいずれか一項に記載の建物用パネルにおいて、
前記溝係止面（２１）及び前記タング係止面（３１）は、約１０°乃至６０°の角度（Ａ２）で傾斜している、建物用パネル。
【請求項１９】
請求項１乃至１８のうちのいずれか一項に記載の建物用パネルにおいて、
前記変位可能なタング（３０）は、摩擦エレメント（３８）を含む、建物用パネル。
【請求項２０】
請求項１乃至１９のうちのいずれか一項に記載の建物用パネルにおいて、
前記変位可能なタング（３０）は、主本体（３６）から延びる突出部（３４）を含み、各突出部は、前記タングプレス面（３２）を有し、各タングプレス面は、係止中、前記ストリップに設けられた係止エレメントと接触するように形成されている、建物用パネル。
【請求項２１】
請求項１乃至２０のうちのいずれか一項に記載の建物用パネルにおいて、
前記建物用パネル（１、１’）はフロアパネルである、建物用パネル。
【請求項２２】
請求項１乃至２１のうちのいずれか一項に記載の建物用パネルにおいて、
前記変位可能なタングの前記上部外方部分は、非係止位置で、前記変位溝（４０）に配置される、建物用パネル。
【請求項２３】
請求項１乃至２２のうちのいずれか一項に記載の建物用パネルにおいて、
前記変位可能なタング（３０）の最内部分は、前記変位可能なタングの最外部分の下方にある、建物用パネル。
【請求項２４】
請求項１乃至２３のうちのいずれか一項に記載の建物用パネルにおいて、
前記タングプレス面（３２）は、前記タング係止面（３１）の下方に配置されている、建物用パネル。
【請求項２５】
請求項１乃至２４のうちのいずれか一項に記載の建物用パネルにおいて、
前記ストリップは、係止中に下方に曲がるように可撓性である、建物用パネル。
【請求項２６】
請求項１乃至２５のうちのいずれか一項に記載の建物用パネルにおいて、
前記変位可能なタング（３０）を、設置された長縁部（２）と隣接したタング部分から自由長縁部と隣接した別のタング部分まで、前記タング溝（２０）に徐々に挿入する、建物用パネル。
【請求項２７】
請求項１に記載の建物用パネルにおいて、
前記ストリップ（６）は、前記第１及び第２の建物用パネル（１、１’）を水平方向で係止するため、前記第２パネルに形成された下方に開放した係止溝（１４）と協働するように形成された係止エレメント（８）を含む、建物用パネル。
【請求項２８】
請求項１乃至２７のうちのいずれか一項に記載の建物用パネルにおいて、
前記変位可能なタングは、射出成形樹脂からなるタングである、建物用パネル。
【発明の詳細な説明】
【技術分野】
【０００１】
本開示は、全体として、フロアパネル用機械式係止システム及び建物用パネルの分野に関する。本開示は、フロアボード、係止システム、設置方法、及び製造方法を示す。
【背景技術】
【０００２】
本発明は、フロアパネルで形成された浮張りフロアで使用するのに特に適している。これらのフロアパネルは、フロアパネルと一体の、即ち工場で取り付けられた係止システムで機械的に接合される。フロアパネルは、ベニヤ層、及び装飾的積層粉体でできた表面又は装飾的プラスチック材料を含む一つ又はそれ以上の上層と、木質繊維材料又はプラスチック材料製の中間コアと、好ましくはコアの後側に設けられた下バランシング層とで形成されている。
【０００３】
従って、以下に非限定的例として説明する周知の技術、周知のシステムの問題点、及び本発明の目的及び特徴は、とりわけ、この適用分野に関し、詳細には、長縁部及び短縁部が互いに機械的に接合されるようになった矩形フロアパネルとして形成されたパネルに関する。
【０００４】
長縁部及び短縁部という用語は、主として、本発明の説明を簡単にするために使用される用語である。パネルは、正方形であってもよい。本発明は、好ましくは、短縁部で使用される。本発明は、どのようなフロアパネルで使用されてもよく、長縁部に形成された全ての周知の係止システムと組み合わせられてもよいということを強調しておかなければならない。フロアパネルは、パネルの少なくとも二つの隣接した側部を水平方向及び垂直方向で連結する機械式係止システムを使用して接合されるようになっている。
【０００５】
更に、本発明は、例えば、無垢材フロア、木材又は木質繊維材料製のコア及び木材又は木材単板等でできた表面を持つ寄木フロア、印刷を施した、好ましくは、更にワニス仕上げを施した表面を持つフロア、プラスチック、コルク、リノリウム、又はゴム製の表面層を持つフロアにも適用できる。石やタイル等の硬質の表面を持つフロア、及び軟質の磨耗層を持つ、例えばニードルフェルトがボードに接着されたフローリングが含まれる。本発明は、更に、例えば壁パネル、天井、家具の部品等のボード材料を含む建物用パネルの接合にも使用できる。
【０００６】
積層体フローリングは、通常は、厚さが６ｍｍ乃至１２ｍｍのファイバボードで形成されたコアと、積層体で形成された厚さが０．２ｍｍ乃至０．８ｍｍの上装飾表面層と、積層体、プラスチック、又は紙等で形成された厚さが０．１ｍｍ乃至０．６ｍｍの下バランシング層とを含む。積層体の表面は、メラミン樹脂を含浸した紙で形成されている。最も一般的なコア材料は、高密度で安定性に優れたファイバボードである。これは、通常は、ＨＤＦ（高密度ファイバボード）と呼ばれる。場合によっては、ＭＤＦ（中密度ファイバボード）も使用される。
【０００７】
この種の従来の積層体フロアパネルは、接着剤を用いたさねはぎによって接合されてきた。このような従来のフロアの他、接合を使用することを必要とせず、その代り、いわゆる機械式係止システムによって機械的に接合されたフロアパネルが開発されてきた。これらのシステムは、パネルを水平方向及び垂直方向で係止する係止手段を有する。機械式係止システムは、通常は、パネルのコアを機械加工することによって形成される。別の態様では、係止システムの部品は、フロアパネルと一体化した、即ちフロアパネルの製造と関連してフロアパネルに接合された、例えばアルミニウムやＨＤＦ製の別体の材料で形成されていてもよい。
【０００８】
機械的係止システムを持つ浮張りフロアの主な利点は、設置が容易であるということである。これらのシステムは、更に、取り外し及び別の場所での再使用が容易である。
【０００９】
幾つかの用語の定義
以下の説明において、設置したフロアパネルの目に見える方の表面を「前側」と呼ぶのに対し、下張り床に面するフロアパネルの反対側を「後側」と呼ぶ。前側と後側との間の縁部を「接合縁」と呼ぶ。「水平平面」という用語は、表面層の外部分と平行に延びる平面を意味する。接合された二つのフロアパネルの二つの隣接した接合縁のぴったりと隣接した上部分は、水平平面に対して垂直な「垂直平面」を形成する。「垂直方向係止」は、Ｄ１方向で垂直平面と平行な係止を意味する。「水平方向係止」は、Ｄ２方向で水平平面と平行な係止を意味する。
【００１０】
「上方」という用語は、前側（表面側）に向かうということを意味し、「下方」という用語は、後側（背面側）に向かうということを意味し、「内方」という用語は、主に水平平面でパネルの内中央部分に向かう方向を意味し、「外方」という用語は、主にパネルの中央部分から水平平面で遠ざかる方向を意味する。
【００１１】
「係止システム」という用語は、フロアパネルを垂直方向及び／又は水平方向で連結する協働連結エレメントを意味する。
【００１２】
長縁部並びに短縁部を、垂直方向で及び縁部に対して垂直な第１水平方向で機械的に接合するため、幾つかの方法を使用できる。最も多く使用されている方法の一つは、傾けスナップ法（angle-snap method） である。傾けることによって長縁部を設置する。次いで、パネルを係止位置で長側部に沿って変位する。短縁部は、水平スナップ法によって係止される。垂直連結は、さねはぎによって行われる。水平方向変位中、係止エレメントを持つストリップが曲がり、縁部が接触するとき、ストリップがばね作用で戻り、係止エレメントが係止溝に入り、パネルを水平方向で係止する。このようなスナップ連結は、スナップ嵌め作用中に長縁部間の摩擦に打ち勝ってストリップを曲げるためにハンマー及びタッピンブブロックを使用することを必要とするため、複雑である。
【００１３】
更に、剛性ストリップを持つ同様の係止システムが形成されてもよい。これらの係止システムは、短縁部及び長縁部の両方を傾けて係止位置に入れる傾け−傾け法（angling-angling method）で連結される。
【００１４】
最近、可撓性又は変位可能な別体のタングが短縁部に設けられ、一般的に「垂直重ね」と呼ばれる傾け作用だけで設置できる、新規であり且つ非常に効率的な係止システムが導入されてきた。このようなシステムは、ＷＯ２００６／０４３８９３（バリングイノベーションＡＢ）に記載されている。
【００１５】
市場では、図１ａ乃至図１ｆに示す幾つかの態様が使用されている。図１ａ及び図１ｂは、縁部から可撓性スナップタブが延びる可撓性タング３０を示す。図１ｃ及び図１ｄは、タングの断面で又は継手に沿って水平方向に曲げることができる可撓性内部分を持つ変位可能なタングを示す。これらのシステムは、垂直スナップシステムと呼ばれ、重ね作用中に自動的に係止する。
【００１６】
係止システムは、更に、隣接した短側縁部を下張り床に重ねたときに変位可能なタング３０が長側縁部から係止位置に押し込まれるように、側方押し作用で係止されてもよい。このような側方押し作用は、簡単な傾けと組み合わせるのは困難であり広幅のパネルについては強すぎる。
【００１７】
図１ｅは、コアと一部品に形成された可撓性タング３０を持つ重ねシステムを示す。図１ｆは、傾けによって連結された重ねシステムの長縁部係止システムを示す。
【００１８】
こうしたシステムは非常に効率的であるが、改良の余地がある。垂直スナップシステムは、ストリップパネルにタングが設けられているように設計されている。これは、一般的な場合であるように上縁部が面取り部なしで形成されている場合、傾斜した摺動面が重ねパネルにだけ形成されていればよいためである。製造中、係止エレメント８を持つストリップ６の溝４０に別体のタング３０を挿入するのは困難である。係止力は、スナップ抵抗で決まる。係止力が高いと、タングが内方に押圧される場合及びタングがタング溝４０内にポンと戻るときのスナップ抵抗が高い。そのため、重ね中にパネルを押し離すように作用する分離力が発生する。タングの可撓性及び押し力が経時的に低下すると、係止強度が失われる。かなりの可撓性を備えていなければならず、可撓性タングを二つの方向で約１ｍｍ乃至２ｍｍ変位できなければならない。このようなタングの製造に使用される材料は比較的高価であり、一般的には、可撓性タングの強化にガラスファイバが使用される。
【００１９】
重ねパネルに別体のタングを固定すること、及び重ね中に自動的に係止するシステムでスナップ嵌めをなくすことが主たる利点である。
【００２０】
本発明の実施例の目的は、平行な列をなして設置される、長縁部及び短縁部を持つ主に矩形のフロアパネル用の、重ね中に短縁部の係止抵抗及び分離力を発生するスナップ作用なしで短縁部を互いに自動的に係止できる係止システムを提供することである。特定の目的は、ストリップパネルの尖った上縁部との接触なしで係止し、溝の内部分から本質的に一方向に外方しか変位しない、別体の変位可能なタングが重ねパネルに設けられた係止システムを提供することである。
【先行技術文献】
【特許文献】
【００２１】
【特許文献１】ＷＯ２００６／０４３８９３
【発明の概要】
【発明が解決しようとする課題】
【００２２】
本発明の上述の目的は、特許請求の範囲の独立項に記載の係止システム及びフロアパネルによって、完全に又は部分的に達成される。本発明の実施例は、従属項から、及び以下の説明及び添付図面から明らかになる。
【課題を解決するための手段】
【００２３】
本発明の第１の態様は、建物用第１パネル及び建物用第２パネルを、これらのパネルの互いに対する垂直方向変位によって、垂直方向で係止するための係止システムを持つ建物用パネルである。建物用第１パネルの縁部には、側方に開放したタング溝が設けられている。ストリップがタング溝の下で建物用第１パネルの縁部の上部分を越えて外方に突出している。建物用第２パネルの縁部の側方に開放した変位溝には、変位可能なタングが設けられている。変位可能なタングは、第２パネルの縁部に沿って延びる主本体と、変位可能なタングの上部外方部分に配置されたタング係止面とを含み、タング係止面は、第１及び第２の建物用パネルを垂直方向で係止するため、タング溝の溝係止面と協働するように形成されている。変位可能なタングは、第２パネルの縁部の上部分から内方に間隔が隔てられた内部分を含み、内部分は、ストリップのストリッププレス面と協働するように形成されたタングプレス面を含む。変位可能なタングは、タングプレス面及びストリッププレス面を互いに対して垂直方向に変位したとき、タング溝内で変位し、垂直方向で係止を行う。
【００２４】
変位可能なタングは、好ましくは、射出成形で形成したタングである。
【００２５】
変位可能なタングは非対称であってもよく、突出部を含み、第２パネルは、突出部を収容するためのキャビティを含んでいてもよい。
【００２６】
突出部は、可撓性部分を含んでいてもよい。
【００２７】
ストリップには、第１及び第２の建物用パネルを水平方向で係止するため、第２パネルに形成された下方に開放した係止溝と協働する係止エレメントが設けられていてもよい。
【００２８】
タングプレス面は、好ましくは、突出部に位置決めされており、ストリッププレス面は、好ましくは係止エレメントに配置されている。
【００２９】
ストリッププレス面は、最も好ましくは、建物用第１パネルの縁部に向かって差し向けられた係止エレメントの傾斜した表面に配置されている。
【００３０】
係止システムは、変位溝から係止溝まで延びるキャビティを含んでいてもよい。
【００３１】
ストリッププレス面及びタングプレス面は、水平平面に対し、約２５°乃至７５°の角度で傾斜していてもよい。
【００３２】
変位溝は傾斜していてもよく、下方に延びる内部分を含む。
【００３３】
建物用パネルは、タング係止面及び溝係止面を含む協働する表面対によって垂直方向で係止されていてもよく、ストリップの上部分及び第２パネルの縁部の下部分を含む。
【００３４】
溝係止面及びタング係止面は、水平平面に対して傾斜していてもよい。
【００３５】
溝係止面及びタング係止面は、約１０°乃至６０°の角度で傾斜していてもよい。
【００３６】
変位可能なタングには、可撓性摩擦エレメントが設けられていてもよい。
【００３７】
変位可能なタングは、主タング本体から延びる少なくとも二つの突出部を含み、各突出部は、当該突出部の外部分に配置された前記タングプレス面を有し、各タングプレス面は、係止中、ストリップに設けられた係止エレメントと接触する。
【００３８】
建物用パネルはフロアパネルであってもよい。変位可能なタングの上−外部分は、非係止位置で、変位溝に配置される。
【００３９】
変位溝は、係止溝の上方に延びる。
【００４０】
係止溝は、変位溝の上部分の下方に配置されていてもよい。
【００４１】
係止エレメントの上部分は、変位可能なタングのタング係止面の下方に配置されていてもよい。
【００４２】
係止溝の上部分は、変位可能なタングのタング係止面の下方に配置されていてもよい。
【００４３】
変位可能なタングの最内部分は、このようなタングの最外部分の下方に配置されていてもよい。
【００４４】
タングプレス面は、タング係止面の下方に配置されていてもよい。
【００４５】
係止エレメントの上部分は、建物用第１パネルの中間コアの下半部に配置されていてもよい。
【００４６】
ストリップは、係止中に下方に曲がるように可撓性であってもよい。
【００４７】
キャビティは、少なくとも約１ｍｍ乃至３ｍｍの空間Ｓがあるように、突出部よりも大きくてもよい。
【００４８】
変位可能なタングを、設置された長縁部と隣接したタング部分から自由長縁部と隣接した別のタング部分まで、タング溝に徐々に挿入してもよい。
【００４９】
以下の説明において、本開示を、例示の実施例と関連して、添付図面を参照して更に詳細に説明する。
【図面の簡単な説明】
【００５０】
【図１】図１ａ乃至図１ｆは、従来技術による係止システムを示す図である。
【図２】図２ａ乃至図２ｄは、本発明の一実施例による短縁部係止システムの図である。
【図３】図３ａ乃至図３ｄは、本発明の好ましい実施例による短縁部係止システムの図である。
【図４】図４ａ乃至図４ｅは、短縁部係止システムの好ましい実施例を示す図である。
【図５】図５ａ乃至図５ｅは、本発明の一実施例による、三枚のパネルの垂直方向重ねを示す図である。
【図６】図６ａ乃至図６ｅは、係止中の係止システムの可撓性、及び変位可能なタングの好ましい実施例を示す図である。
【図７】図７ａ乃至図７ｃは、変位可能な幾つかのタングを含む本発明の実施例によるタングブランクを示す図である。
【発明を実施するための形態】
【００５１】
理解を容易にするため、幾つかの係止システムを添付図面に概略に示す。好ましい実施例の組み合わせを使用しすることにより、改良された機能又は様々な機能を得ることができるということを強調しておかなければならない。
【００５２】
全ての実施例は、別々に使用されてもよく、又は組み合わせて使用されてもよい。角度、寸法、丸みを付けた部分、表面間の間隔は単なる例であって、本発明の基本的原理の範疇で調節されてもよい。
【００５３】
図２ａ乃至図２ｄは、第２パネル１’の縁部に可撓性で変位可能なタング３０が設けられた短縁部係止システムの第１の好ましい実施例を示す。変位可能なタング３０は、変位溝４０に挿入されており、第２パネルの縁部に沿って延びる。変位可能なタング３０は、上部外方部分に配置されたタング係止面３１を有する。タング係止面３１は、第１パネル１の隣接した縁部に形成されたタング溝２０の上部内方部分に配置された溝係止面２１と協働する。これらの係止面がパネルを第１垂直方向で係止する。これらの係止面は、好ましくは、約１０°乃至６０°の角度Ａ２で傾斜している。好ましくは、変位溝も傾斜しており、変位溝の外部分は、変位溝の内部分よりもパネル表面に近い。
【００５４】
第１パネル１は、垂直平面ＶＰを越えて外方に延びる突出ストリップ６を含む。このストリップは、係止エレメント８を含む。第２パネル１’には、係止エレメント８と協働してこれらのパネルを水平方向で係止する係止溝１４が設けられている。ストリップ６の上部分６’は、隣接した縁部の下部分３７と接触し、パネルを第２垂直方向で係止する。
【００５５】
変位可能なタング３０は、主タング本体３６から延びる突出部３４を含む。第２パネル１’には、突出部を収容するための少なくとも一つのキャビティ３５が設けられている。キャビティ３５は、変位溝から係止溝１４まで延びている。キャビティは、ねじ切りで形成されてもよいし、変位可能な鋸ブレードで形成されてもよい。突出部３４は、係止エレメント８に設けられたストリッププレス面３３と協働するタングプレス面３２を含む。ストリッププレス面３３及びタングプレス面３２は、水平平面ＨＰに対して好ましくは２５°乃至７５°の角度Ａ１で傾斜している。
【００５６】
変位可能なタングは、隣接した縁部の垂直方向変位中、傾斜したプレス面が互いに摺動するとき、タング溝２０に向かって本質的に一方向に変位する。タングは、溝係止面２１に強い圧力で当たって係止され、係止エレメント８により、タングが摺動して変位溝４０内に戻ることがないようにする。
【００５７】
上文中に説明した「プレス係止システム」に関する一つの主要な問題点は、パネルが割れて図２ｄに示すように、変位溝４０と係止溝１４との間に亀裂５０が生じる危険があるということである。従って、係止溝１４ａ及び係止エレメントの上部分８ａをフロアパネルの下部分に、好ましくは、フロアパネルを二つの等しい部分、即ち上部分ＵＰ及び下部分ＬＰに分ける中心線Ｃの下方に形成するのが好ましい。更に、タングプレス面３２及びタング係止面３１の垂直方向下方に配置するのが好ましい。タングプレス面３２をタング係止面３１は、好ましくは垂直方向でオフセットしており、好ましくは、異なる水平平面Ｈ２、Ｈ２に配置される。更に、係止エレメントの上部分８ａ及び／又は係止溝の上部分１４ａがタング係止面３１の垂直方向下方に配置されている。変位可能なタング３０の最内部分は、好ましくは、このようなタングの最外部分の下方に配置されている。
【００５８】
キャビティ３５は、好ましくは、回転鋸ブレードによって形成され、好ましくは、図２ｄに示すように、外部分３５ｂが内部分３５ａの上方に配置された丸みのある上部分を含む。キャビティは、好ましくは、係止溝１４の内部分１４ｂと交差するように形成されている。
【００５９】
図３ａ乃至図３ｄは、第１パネル１に対する第２パネル１’の垂直方向変位中の係止機能を示す。プレス面３２、３３の協働により、変位可能なタング３０をタング溝２０に徐々に押し込み、協働する二対の係止面、即ちタング係止面３１及び溝係止面２１、及びストリップ６の上部分６’及び隣接したパネル１’の下部分３７によって、これらのパネルを垂直方向で係止する。
【００６０】
図４ａ乃至図４ｅは異なる実施例を示す。図４ａは、突出部３４が主タング本体の下に配置された変位可能なタング３０を示す。係止溝１４は、変位溝４０の上部分の垂直方向下方に配置されている。図４ｂは、ストリッププレス面３３に当たって係止するタングプレス面３２を示す。これは、水平方向係止の作用を行わない。図４ｃは、係止エレメント８の同じ係止面３３を、プレス面として、及び水平方向係止用の係止面として使用する態様を示す。図４ｄは、ストリッププレス面が、別のプッシュロッド４２に形成された態様を示す。図４ｅは、湾曲断面を持つ突出部３４、及び上部分４４が係止溝１４の内部分の上方にキャビティ３５内に突出した局所的突出部として形成された係止エレメントを示す。
【００６１】
図５ａ及び図５ｅは、三つのパネルの垂直方向重ねを示し、ここでは、長縁部２、２’は傾けで連結され、短縁部１、１’は、傾け及び垂直方向変位を組み合わせた鋏のような動作で連結される。図５ｂは、変位可能なタングが、設置済の長縁部２と隣接した縁部の一部から他方の自由長縁部までタング溝２０内に徐々に挿入される状態を示す。図５ｃは、断面Ａ−Ａでのタングを示し、図５ｄ及び図５ｅは、断面Ｂ−Ｂ及び断面Ｃ−Ｃでのタングの位置を示す。ストリップ６及び係止エレメント８は、この実施例では、係止中に後方に曲がり、これにより係止を容易にするように設計されている。これは、ストリップがこのように曲がることにより、必要な可撓性の一部又は全部が提供されるためである。係止溝は、変位溝４０の下部分の垂直方向下方に位置決めされている。
【００６２】
図６ａは、幾つかの部分、例えば突出部３４、係止ストリップ６、及び係止エレメント８が可撓性であるように係止システムが形成されていてもよいということを示す。この可撓性は、製造許容差を減少するか或いはなくすため、及び容易であり且つ強固な係止を提供するために使用されてもよい。図６ａは、ストリップ６が下方に曲がってもよく、係止エレメント８が下方及び外方に曲がってもよいということを示す。このようなストリップの曲がりにより係止が容易になり、本質的に木質繊維材料製のタング等の可撓性が限定的な変位可能なタングでも係止を行うことができる。変位可能なタング３０の一部も辺縁部を水平方向に約０．１ｍｍ乃至１．０ｍｍしか曲がらない即ち圧縮されない場合に、或る程度の可撓性を以て係止がなされる。
【００６３】
図６ｂ及び図６ｃは、タングの異なる実施例を示す。変位可能なタング３０は、摩擦連結部３８で、変位可能な溝内に固定されてもよい。突出部３４は、タング溝２０に対して予備張力を発生する可撓性部分３９を含んでいてもよい。キャビティ３５は突出部よりもかなり大きくてもよく、好ましくは、約１ｍｍ乃至３ｍｍの空間Ｓがある。
【００６４】
図６ｄは、摺動面４５が垂直平面ＶＰを越えて突出した係止システムを示す。タング溝２０は、好ましくは、傾斜した縁部表面４６に形成されている。このような実施例は、変位可能なタング３０が内方にプレスされ、従来の二方向スナップ作用が、最終的な係止をもたらすのに使用される一方向プレス動作と組み合わせられるという利点を提供する。
【００６５】
図６ｅは、第２パネル１’の側方に開放した溝４０に配置された別体のタング３０を示す。タングは、上方に延びるスナップタブ４７を含み、このタブは、第１パネル１に配置された、下方に延びる摺動面４５と協働する。摺動面４５は、上縁部及び垂直平面ＶＰを越えて突出している。第２パネル１’は、好ましくは、タング３０の上方及び／又は下方に配置された傾斜した縁部表面４６’を含む。隣接した上縁部が真っ直ぐで鋭いパネルでも、容易にスナップ取り付けできる。スナップタブの代わりに、可撓性スナップ突出部が長さに沿って設けられた変位可能なタングを用いてもよい。図１ｄに示す係止システムを、傾斜した縁部表面を持つように調節してもよく、継手の強度を向上するのにこのような設計を使用してもよい。
【００６６】
本発明による係止システムは、更に、垂直方向で縁部だけが係止するように、係止溝１４及び係止エレメント８なしで形成されてもよい。係止エレメント８の代りに、ストリップ６から上方に延びる局所的突出部を使用してもよい。これらの突出部は、係止位置で、キャビティ内に配置される。長縁部間の摩擦によって短縁部を水平方向で係止してもよい。
【００６７】
全ての係止システムは、縁部に沿った傾け及び／又は摺動で係止解除できるように設計されていてもよい。
【００６８】
図７ａ及び図７ｂは、幾つかの変位可能なタングを含むタングブランク４３を示す。これらのタングは、好ましくは、タング長に沿って非対称である。図７ａは、射出成形で形成したタング３０を示し、図７ｂは、木質繊維材料製の、好ましくは機械加工及び打ち抜きで形成した変位可能なタング３０を示す。
【００６９】
好ましくは回転鋸ブレードで形成されたキャビティ３５は、丸みのある上部分を有し、外部分の下方に配置された内部分を含んでいてもよい。係止システムは、その一部又は全体がカービング工具によって形成されてもよい。
【符号の説明】
【００７０】
１’  第１パネル
６  突出ストリップ
６’  上部分
８  係止エレメント
１４  係止溝
２０  タング溝
２１  溝係止面
３０  変位可能なタング
３１  タング係止面
３２  タングプレス面
３３  ストリッププレス面
３４  突出部
３５  キャビティ
３６  主タング本体
３７  下部分
４０  変位溝
５０  亀裂
【図１ａ】
0006005154.tif 000002
【図１ｂ】
0006005154.tif 000003
【図１ｃ】
0006005154.tif 000004
【図１ｄ】
0006005154.tif 000005
【図１ｅ】
0006005154.tif 000006
【図１ｆ】
0006005154.tif 000007
【図２ａ】
0006005154.tif 000008
【図２ｂ】
0006005154.tif 000009
【図２ｃ】
0006005154.tif 000010
【図２ｄ】
0006005154.tif 000011
【図３ａ】
0006005154.tif 000012
【図３ｂ】
0006005154.tif 000013
【図３ｃ】
0006005154.tif 000014
【図３ｄ】
0006005154.tif 000015
【図４ａ】
0006005154.tif 000016
【図４ｂ】
0006005154.tif 000017
【図４ｃ】
0006005154.tif 000018
【図４ｄ】
0006005154.tif 000019
【図４ｅ】
0006005154.tif 000020
【図５ａ】
0006005154.tif 000021
【図５ｂ】
0006005154.tif 000022
【図５ｃ】
0006005154.tif 000023
【図５ｄ】
0006005154.tif 000024
【図５ｅ】
0006005154.tif 000025
【図６ａ】
0006005154.tif 000026
【図６ｂ】
0006005154.tif 000027
【図６ｃ】
0006005154.tif 000028
【図６ｄ】
0006005154.tif 000029
【図６ｅ】
0006005154.tif 000030
【図７ａ】
0006005154.tif 000031
【図７ｂ】
0006005154.tif 000032